(57)【要約】【課題】水道メーターを簡便かつ確実に検針することのできる水道メーター検針器を提供する。【解決手段】水道メーター検針器１００は、筒体１１０と、筒体１１０の下端部に設けられたレンズ部材１２０と、レンズ部材１２０の上方に設けられ、レンズ部材１２０に向けて光を照射する照明１３０と、照明１３０に電力を供給する、電力供給部１４０と、を備え、照明１３０の光の照射により、レンズ部材１２０を介して水道メーターの検針を行う、ことを特徴とする。【選択図】図１
0003186338.tif 000002
【実用新案登録請求の範囲】
【請求項１】
筒体と、
前記筒体の下端部に設けられたレンズ部材と、
前記レンズ部材の上方に設けられ、前記レンズ部材に向けて光を照射する照明と、
前記照明に電力を供給する、電力供給部と、
を備え、
前記照明の光の照射により、前記レンズ部材を介して水道メーターの検針を行う、
ことを特徴とする水道メーター検針器。
【請求項２】
前記レンズ部材は、取り外し可能である、
ことを特徴とする請求項１に記載の水道メーター検針器。
【請求項３】
拡大レンズをさらに備える、請求項１又は２に記載の水道メーター検針器。
【請求項４】
前記筒体の上端部に透明板をさらに備える、請求項１乃至３のいずれか１項に記載の水道メーター検針器。
【請求項５】
前記筒体の上端部にクッション部材をさらに備える、請求項１乃至４のいずれか１項に記載の水道メーター検針器。
【請求項６】
前記筒体は、伸縮可能である、
ことを特徴とする請求項１に記載の水道メーター検針器。
【考案の詳細な説明】
【技術分野】
【０００１】
本考案は、水道メーター検針器に関する。
【背景技術】
【０００２】
水道メーターの検針作業は、検針員が、地中に埋設されている水道メーターボックス内の水道メーターの値を読み取ることで行われる。
【０００３】
水道メーターの検針作業は、しばしば困難を伴う。例えば、水道メーターボックスは地中に埋設されているため、水道メーターの値を読み取る際には、かがみ込む姿勢を取る必要があり、検針員にとって身体的負担が大きい。また、雨天時や雪解け時期には、地中に埋設されているメーターボックスに水が溜まり、水道メーターが水没することがある。このような場合、メーターボックス内の水を汲み出す必要があり、時間と手間がかかっていた。
【０００４】
そこで、水道メーター検針をサポートするための道具が、いくつか開発されてきた。
【０００５】
例えば、特許文献１には、かがみ込むことなく立ったままでの検針が可能な、照明器具を備える水道メーター検針補助器が開示されている。この水道メーター検針補助器は、水道メーターの寸法とほぼ同じ大きさの、底の無い長方形の箱からなり、この箱を水道メーターにかぶせて接合させて、メーターの値を読み取るものである。
【０００６】
また、特許文献２には、メーターボックスの蓋開閉用フックと、水中でメーターを照光することが可能な照明具と、を備える水道メーター検針棒が開示されている。メーターボックス内に溜まった水の中に該水道メーター検針棒を入れてメーターに光を照射し、目視することにより、水没した水道メーターの値を読み取るものである。
【先行技術文献】
【特許文献】
【０００７】
【特許文献１】特開２００２−３３３３４８号公報
【特許文献２】特開２００６−２０８０５８号公報
【考案の概要】
【考案が解決しようとする課題】
【０００８】
しかしながら、特許文献１に記載の水道メーター検針補助器では、水没した水道メーターの値を読み取る場合には、水道メーターと箱との隙間から水が入ってくることがあり、特に水が濁っている場合には、メーターの値を読み取ることができない。また、特許文献２に記載の水道メーター検針棒では、水没した水道メーターの値を読み取ることはできるものの、特に水が濁っている場合には、水中で照明を行っても、メーターの値を読み取ることができない場合があった。
【０００９】
本考案は、上記実情に鑑みてなされたものであり、水道メーターを簡便かつ確実に検針することのできる水道メーター検針器を提供することを目的とする。
【課題を解決するための手段】
【００１０】
上記目的を達成するため、本考案に係る水道メーター検針器は、
筒体と、
前記筒体の下端部に設けられたレンズ部材と、
前記レンズ部材の上方に設けられ、前記レンズ部材に向けて光を照射する照明と、
前記照明に電力を供給する、電力供給部と、
を備え、
前記照明の光の照射により、前記レンズ部材を介して水道メーターの検針を行う、
ことを特徴とする。
【００１１】
前記レンズ部材は、取り外し可能であってもよい。
【００１２】
拡大レンズをさらに備えていてもよい。
【００１３】
前記筒体の上端部に透明板をさらに備えていてもよい。
【００１４】
前記筒体の上端部にクッション部材をさらに備えていてもよい。
【００１５】
前記筒体は、伸縮可能であってもよい。
【考案の効果】
【００１６】
本考案によれば、水道メーターを簡便かつ確実に検針することのできる水道メーター検針器を提供することができる。
【図面の簡単な説明】
【００１７】
【図１】本考案の一実施形態である水道メーター検針器を模式的に示す図である。（ａ−１）は、レンズ部材装着時の水道メーター検針器の全体を模式的に示す正面図、（ａ−２）は、レンズ部材非装着時の水道メーター検針器の下部先端付近を模式的に示す正面図、（ｂ−１）は、レンズ部材装着時の水道メーター検針器の下部先端付近を模式的に示す断面図、（ｂ−２）は、レンズ部材非装着時の水道メーター検針器の下部先端付近を模式的に示す断面図である。
【図２】本考案の一実施形態である水道メーター検針器を模式的に示す平面図である。
【図３】筒体及びレンズ部材を模式的に示す図である。
【図４】本考案の一実施形態である水道メーター検針器を用いて、水没している水道メーターを検針する様子を説明する図である。
【考案を実施するための形態】
【００１８】
以下、本考案の実施形態について図面を参照して詳細に説明する。
【００１９】
図１（ａ−１）は、本実施形態に係る水道メーター検針器１００（レンズ部材１２０装着時）を正面から見た全体図であり、図１（ａ−２）は、レンズ部材１２０非装着時の水道メーター検針器１００の下部先端付近を示した正面図であり、図１（ｂ−１）は、レンズ部材１２０装着時の水道メーター検針器１００の下部先端付近を模式的に示した断面図であり、図１（ｂ−２）は、レンズ部材１２０非装着時の水道メーター検針器１００の下部先端付近を模式的に示した断面図である。図２は、水道メーター検針器１００の平面図であり、図１（ａ−１）を上から見た図である。図３は、筒体１１０の下端部及びレンズ部材１２０を模式的に示す図であり、各部材の位置関係を説明する図である。図４は、本実施形態に係る水道メーター検針器１００を用いて、水没している水道メーター３００を検針する様子を示す説明図である。
【００２０】
図１各図に示すように、本考案の実施形態に係る水道メーター検針器１００は、筒体１１０と、レンズ部材１２０と、照明１３０と、電力供給部１４０と、を備える。
【００２１】
実施形態における筒体１１０は、図１（ａ−１）に示すように、ポリ塩化ビニル樹脂製のパイプで、長さ約８００ｍｍ、直径約４６ｍｍである。筒体１１０の上端部から筒体１１０の中を覗き込むことにより、後述するレンズ体１２０Ｂを通して、水道メーター３００の値を読み取ることができる（図４）。また、筒体１１０には、レンズ部材１２０（後述）を固定するためのレンズ部材固定部１１０ａが形成されている。レンズ部材固定部１１０ａには、図１（ａ−２），図１（ｂ−２），図３に示すように、レンズ部材１２０の環状部材１２０Ｃ（後述）が螺合する雄ねじ１１０ｂが形成されている。また、筒体１１０の下部内面には、後述する照明１３０が設けられており（図１（ｂ−１），図１（ｂ−２））、筒体１１０の外側面には、後述する電線１３１が貼設されている（図１（ａ−１））。なお、筒体１１０の材質としては、軽量化及び強度向上の観点から、各種の合成樹脂パイプを用いることができる。また、筒体１１０の寸法は、長さ５００〜１３００ｍｍ、直径４０〜６０ｍｍが好ましい。
【００２２】
実施形態におけるレンズ部材１２０は、図１（ａ−１），図１（ｂ−１）に示すように、筒体１１０の下端部に取りつけられている。レンズ部材１２０は、図３に示すように、パッキン部材１２０Ａ、レンズ体１２０Ｂ、及び環状部材１２０Ｃからなる。環状のパッキン部材１２０Ａ（合成ゴム製）は、レンズ部材固定部１１０ａの下端部の直径と略同一の直径を有し、筒体１１０とレンズ体１２０Ｂとの間に挟まれており（図１（ｂ−１），図３）、レンズ体１２０Ｂのずれを防止し、筒体１１０の下端部にレンズ体１２０Ｂを確実に固定するための、パッキン材としての役割を有する。レンズ体１２０Ｂ（アクリル樹脂製）は、光透過性を有する円柱体であり、その上端には２段のフランジ１２０ｃが形成されている（図１（ｂ−１），図３）。このフランジ１２０ｃの上端は、パッキン部材１２０Ａの直径と略同一の直径を有する。なお、このレンズ体１２０Ｂを通して、水道メーター３００の値を読み取ることができる（図４）。環状部材１２０Ｃ（ポリ塩化ビニル樹脂製）は、その内周面に雌ねじ１２０ａが切られており（図３）、この雌ねじ１２０ａは、レンズ部材固定部１１０ａの雄ねじ１１０ｂと螺合する。また、その下端部にはリブ１２０ｂが形成されている（図３）。図３に示すように、パッキン部材１２０Ａ及びレンズ体１２０Ｂを挟み込んで、環状部材１２０Ｃの雌ねじ１２０ａを筒体１１０の雄ねじ１１０ｂにねじ込むことで、レンズ体１２０Ｂを筒体１１０の下端部に固定することができる。このとき、レンズ体１２０Ｂのフランジ１２０ｃが、環状部材１２０Ｃのリブ１２０ｂに支持され（図１（ｂ−１））、レンズ体１２０Ｂの抜け落ちを防ぐことができる。なお、レンズ体１２０Ｂの材質として、光透過性を有する他の樹脂を用いることができ、また、環状部材１２０Ｃの材質として、他の合成樹脂を用いることができる。
【００２３】
実施形態における照明１３０は、図１（ｂ−１），図１（ｂ−２）に示すように、筒体１１０の下部内面に、光を下向きに照らすように設けられている。照明１３０の光源としては、ＬＥＤ等の電球１３０ａを用いることができる。この電球１３０ａは、筒体１１０の下部内面に設けられた支持部材１３０ｂに、ソケット（図示せず）を介して支持されている。電力供給部１４０のスイッチ１４０ａ（後述）をオンにすると、電球１３０ａが点灯し、レンズ体１２０Ｂの上面を照らすことができる。
【００２４】
図１（ａ−１）に示すように、実施形態における電力供給部１４０の電池ボックス１４０ｂ（ポリ塩化ビニル樹脂製）内にはバッテリー（図示せず）が収容され、上部にはスイッチ１４０ａ（防水仕様）が設けられている。電池ボックス１４０ｂは、図１（ａ−１），図２に示すように、筒体１１０の上端部近傍の側面に、ボルト（図示せず）を介して取りつけられている。電池ボックス１４０ｂに接続された電線１３１は、筒体１１０の外側面に貼設され（図１（ａ−１））、照明１３０に電力を供給するために、筒体１１０の下端部近傍において、筒体１１０の外側から内側に貫通して筒体１１０内面に延び、照明１３０に接続されている（図１（ｂ−１））。スイッチ１４０ａをオンにすると、電線１３１を通して照明１３０に電力が供給され、電球１３０ａを点灯させることができる。
【００２５】
次に、本実施形態に係る水道メーター検針器１００の製造方法の一例について説明する。
【００２６】
まず、筒体１１０を製作する。直径４６ｍｍ、長さ８００ｍｍのポリ塩化ビニル製の円管を用意し、下端に、雄ねじ１１０ｂを備えたレンズ部材固定部１１０ａを形成する。
【００２７】
次に、筒体１１０に電力供給部１４０を取りつける。より具体的には、筒体１１０の上端部近傍の側面に、スイッチ１４０ａ（防水仕様）付きの電池ボックス１４０ｂ（使用時にバッテリーを収容させる）をボルト（図示せず）を介して取りつける（図１（ａ−１））。電池ボックス１４０ｂに接続された電線１３１を、筒体１１０の側面に貼設し、筒体１１０の下端部近傍において、筒体１１０の外側から内側に貫通させて、筒体１１０内部に延ばして設ける（図１（ａ−１））。
【００２８】
次に、筒体１１０に照明１３０を取りつける。より具体的には、筒体１１０の下部内面に、ソケット（図示せず）及び電球１３０ａを支持するための支持部材１３０ｂを設け、支持部材１３０ｂ内に、ソケット（図示せず）及び電球１３０ａを、光を下向きに照らするように取りつける（図１（ｂ−１））。ソケット（図示せず）と、筒体１１０内部に延ばして設けられた電線１３１と、を電気的に接続させる。
【００２９】
次に、レンズ部材１２０（パッキン部材１２０Ａ、レンズ体１２０Ｂ、環状部材１２０Ｃ）を製作する（図３）。環状のパッキン部材１２０Ａ（合成ゴム製）の直径は、レンズ部材固定部１１０ａの下端部の直径と略同一とする（図３）。円柱状のレンズ体１２０Ｂ（アクリル樹脂製）の上端部の直径は、パッキン部材１２０Ａの直径と略同一とし、上端に２段のフランジ１２０ｃを備えるように製作する（図３）。環状部材１２０Ｃ（ポリ塩化ビニル製）は、その内側にはレンズ部材固定部１１０ａの雄ねじ１１０ｂと螺合する雌ねじ１２０ａを、その下端部にはリブ１２０ｂを設けるよう製作する（図３）。
【００３０】
次に、レンズ部材１２０を筒体１１０の下端部に取りつける（図１（ｂ−１））。より具体的には、パッキン部材１２０Ａ及びレンズ体１２０Ｂを筒体１１０の下端部に宛がい、環状部材１２０Ｃの雌ねじ１２０ａを筒体１１０の雄ねじ１１０ｂにねじ込む。こうすることで、環状部材１２０Ｃのリブ１２０ｂで囲まれた開口部からレンズ体１２０Ｂの下方部が露出するとともに、レンズ体１２０Ｂを筒体１１０の下端部に固定させることができる。
【００３１】
次に、図４により、水道メーター検針器１００の使用方法の一例について説明する。
【００３２】
図４は、水道メーター検針器１００を用いて、メーターボックス４００に水５００が入り込み、水没している状態の水道メーター３００を検針する様子を説明する図である。
【００３３】
図４に示すように、メーターボックス４００の蓋（図示せず）を開け、水道メーター検針器１００の下部を水５００の中に鉛直方向に水没させ、レンズ体１２０Ｂの下面を水道メーター３００の上面に密着させる。電力供給部１４０のスイッチ１４０ａ（後述）をオンにすることで、照明１３０からレンズ体１２０Ｂを通して水道メーター３００に光をあてる。筒体１１０の上端部から筒体１１０の中を覗き込み、レンズ体１２０Ｂを通して水道メーター３００の値を読み取る。
【００３４】
本実施形態の水道メーター検針器１００は、下向き（レンズ体１２０Ｂの方向）に光を照射することのできる照明１３０を備え、レンズ体１２０Ｂの下面を水道メーター３００の上面に密着させ、水道メーター検針器１００の上端部から、照明１３０により明るく照らされた水道メーター３００を覗き込むことで、検針することができる。このため、水没している水道メーター３００を検針する場合でも、メーターボックス４００に溜まっている水を汲み出すことなく、水中に水道メーター検針器１００の先端部（レンズ体１２０Ｂを含む）を入れて検針することができ、水道メーター３００を簡便に検針することができる。
【００３５】
また、本実施形態の水道メーター検針器１００では、下向き（レンズ体１２０Ｂの方向）に光を照射することのできる照明１３０を備え、検針時に水道メーター３００を明るく照らすことができるため、水道メーター３００の値の判読が容易となり、濁った水の中でも水道メーター３００を確実に検針することができる。また、レンズ体１２０Ｂの下面を水道メーター３００の上面に密着させて検針するため、水没している水道メーター３００を検針する場合でも、レンズ体１２０Ｂと水道メーター３００との間に水が入り込み難く、水道メーター３００を確実に検針することができる。
【００３６】
また、本実施形態の水道メーター検針器１００は、筒体１１０と、レンズ部材１２０と、照明１３０と、電力供給部１４０と、からなり、単純な構成で、軽量であるため、持ち運びが容易であるとともに、女性の検針員でも楽に検針作業を進めることができる。また、単純な構成ゆえに、簡便に製作でき、製作コストも抑えることができる。
【００３７】
また、本実施形態の水道メーター検針器１００では、環状部材１２０Ｃを回して外すことで、容易にレンズ体１２０Ｂを取り外すことができる。このため、レンズ体１２０Ｂに傷が入った場合等でも、レンズ体１２０Ｂのみを容易に交換することができ、経済的に使用することができる。
【００３８】
また、本実施形態の水道メーター検針器１００は、筒体１１０が所定の長さを有するため、地中の水道メーター３００を検針するのにかがみ込む必要がなく、楽な姿勢で検針することができる。
【００３９】
なお、この考案は上記実施の形態に限定されず、種々の変形及び応用が可能である。例えば、本実施形態においては、図３に示したように、筒体１１０の下端部に光透過性の円柱体であるレンズ体１２０Ｂを備える形態について説明したが、筒体１１０とレンズ体１２０Ｂとの間に、凸型の拡大レンズを挟み込んで備えていてもよい。この場合、水道メーター３００の値が拡大されて見えるため、水道メーター３００をさらに簡便かつ確実に検針することができる。なお、筒体１１０とパッキン部材１２０Ａとの間に拡大レンズを備える場合、筒体１１０と拡大レンズとの間に、拡大レンズのずれ防止のための環状のパッキン材を挟み込んでいてもよい。
【００４０】
また、本実施形態においては、図３に示したように、筒体１１０の下端部に光透過性の円柱体であるレンズ体１２０Ｂを備える形態について説明したが、レンズ体１２０Ｂ自体が拡大レンズ機能を有していてもよい。この場合、水道メーター３００の値が拡大されて見えるため、水道メーター３００をさらに簡便かつ確実に検針することができる。
【００４１】
また、本実施形態においては、図２に示したように、筒体１１０の上端部が開口している形態について説明したが、筒体１１０の上端部にはアクリル樹脂製の透明板が設けられていてもよい。この場合、筒体１１０内にゴミ等が入るのを防ぐことができる。なお、透明板の材質として、透明な他の樹脂を用いることができる。
【００４２】
また、本実施形態においては、図１（ａ−１），図２に示したように、筒体１１０の上端部に何も備えない形態について説明したが、筒体１１０の上端部にクッション部材をさらに備えていてもよい。より具体的には、ウレタン、ゴム等の弾性体により筒体１１０の上端部を縁取り、クッション部材とすることができる。この場合、筒体１１０の上端部から筒体１１０の中を覗き込む際に、クッション部材によって、目の回りの部分に硬い筒体１１０の上端部が当たるのを防ぐことができ、快適に検針を進めることができる。
【００４３】
また、本実施形態においては、図１（ａ−１）に示したように、通常の筒体１１０の形態について説明したが、テレスコピック構造の伸縮可能な筒体としてもよい。なお、筒体を縮めた状態及び伸ばした状態を維持するためのストッパー部材を筒体内に備えていてもよい。筒体が伸縮可能である場合、使用していない時には筒体をコンパクトに縮め、使用する際に筒体を伸ばすことができるため、持ち運びに便利である。
【００４４】
また、本実施形態においては、図４に示したように、水没した水道メーター３００を検針する形態について説明したが、水没していない水道メーターの場合でも当然に使用可能である。
【００４５】
また、本実施形態においては、図１（ａ−１）に示したように、バッテリーを収容する電池ボックス１４０ｂを備える電力供給部１４０の形態について説明したが、ソーラーパネルを備え、太陽光発電によって電力が供給されてもよい。
【００４６】
また、本実施形態においては、図１（ａ−１）に示したように、バッテリーを収容する電池ボックス１４０ｂを備える電力供給部１４０の形態について説明したが、充電式の電池を使用してもよい。
【００４７】
また、本実施形態においては、図１（ａ−１）に示したように、スイッチ１４０ａと電池ボックス１４０ｂとが連結されており、手動でスイッチ１４０ａをオンにする形態について説明したが、例えば、スイッチ１４０ａがレンズ体１２０Ｂに連結されており、レンズ体１２０Ｂの下面を水道メーター３００の上面に密着させた際に、スイッチ１４０ａがオンとなるようにしてもよい。この場合、スイッチ１４０ａを手動でオンにする手間が省け、効率的な検針が可能となる。
【００４８】
また、本実施形態においては、図１（ａ−１）に示したように、電力供給部１４０が筒体１１０の上端部近傍に設けられる形態について説明したが、電力供給部１４０は筒体１１０の上端部近傍以外の場所に設けられてもよい。
【００４９】
また、本実施形態においては、図１各図，図３に示したように、取り外し可能なレンズ体１２０Ｂの形態について説明したが、レンズ体１２０Ｂは筒体１１０の下端部に接着剤等で固定されていてもよい。
【００５０】
また、本実施形態においては、図２に示したように、筒体１１０の断面図が円形の形態（すなわち円筒状の形態）について説明したが、筒体１１０の断面図の形状は、把持しやすさの観点から、六角形、楕円形等でもよい。
【００５１】
また、本実施形態においては、筒体１１０、環状部材１２０Ｃ及び電池ボックス１４０ｂの素材としてポリ塩化ビニル樹脂を用いた形態について説明したが、金属製（アルミニウム、ステンレス）であってもよい。
【００５２】
また、本実施形態においては、図１（ａ−１）に示したように、筒体１１０の外側面に電線が貼設されている形態について説明したが、電線は筒体１１０の内側面に貼設されてもよいし、筒体１１０の壁の中に細孔を設け、その細孔内に電線を通してもよい。
【符号の説明】
【００５３】
１００  水道メーター検針器
１１０  筒体
１１０ａ  レンズ部材固定部
１１０ｂ  雄ねじ
１２０  レンズ部材
１２０Ａ  パッキン部材
１２０Ｂ  レンズ体
１２０Ｃ  環状部材
１２０ａ  雌ねじ
１２０ｂ  リブ
１２０ｃ  フランジ
１３０  照明
１３０ａ  電球
１３０ｂ  支持部材
１３１  電線
１４０  電力供給部
１４０ａ  スイッチ
１４０ｂ  電池ボックス
３００  水道メーター
４００  メーターボックス
５００  水
【図１】
0003186338.tif 000003
【図２】
0003186338.tif 000004
【図３】
0003186338.tif 000005
【図４】
0003186338.tif 000006